Podtech/llm-jp-corpus-v4-ja_patent huggingface dataset:
(57)【要約】 【課題】手紙等を三つ折りにする際の面倒さを解消すると共に、きれいに三つ折り出来る便利な製品を提供する。【解決手段】丁度三つ折りの出来る位置に折り目（１、２）を入れたガイド板を用い、のぞき窓ｄのある折り線１に用紙の端を合わせ、面aと面bで挟み込む。さらにその状態から折り線２で面cを面aの上に重なるように用紙ごと折りかぶせる。ガイド板よりはみ出した用紙の残り部分を折り線１の上から面bの裏へ折り返すことで、きれいな折り目の付いた三つ折りを作ることが出来ることを特徴とする。【選択図】図１
0003131531.tif 000002
【実用新案登録請求の範囲】
【請求項１】
ボード等に丁度三つ折りの出来る位置に折り目を入れ、用紙と共に折ることで、きれいな折り目の付いた三つ折りを作ることが出来る製品。
【請求項２】
d位置に用紙が確認できるのぞき窓を付けた請求項1の製品。
【考案の詳細な説明】
【技術分野】
【０００１】
本考案は用紙と共に折りを作ることで三つ折りできるガイド板に関する
【考案の開示】
【考案が解決しようとする課題】
【０００２】
手紙等を三つ折りにする際の面倒さを解消すると共に、きれいに三つ折り出来る便利な製品を提供する。
【課題を解決するための手段】
【０００３】
丁度三つ折りの出来る位置に折り目（１、２）を入れたガイド板を用い、のぞき窓ｄのある折り線１に用紙の端を合わせ、面aと面bで挟み込む。さらにその状態から折り線２で面cを面aの上に重なるように用紙ごと折りかぶせる。ガイド板よりはみ出した用紙の残り部分を折り線１の上から面bの裏へ折り返すことで、きれいな折り目の付いた三つ折りを作ることが出来ることを特徴とする。
【考案の効果】
【０００４】
手紙等を三つ折りにする際の面倒さを解消すると共に、きれいに三つ折り出来る
【考案を実施するための最良の形態】
【０００５】
用紙と適合サイズの三つ折りガイド板のセットとして販売              
【図面の簡単な説明】
【０００６】
【図１】・
【図２】「三つ折りガイド板」を示した平面図である。
【図３】使用例を示した説明図である。
【符号の説明】
【０００７】
１→ 折り線  ２→ 折り線
a→ 面  b →面  c →面  d →のぞき窓
【図１】
0003131531.tif 000003
【図２】
0003131531.tif 000004
【図３】
0003131531.tif 000005
【手続補正書】
【提出日】平成19年1月26日(2007.1.26)
【手続補正１】
【補正対象書類名】実用新案登録請求の範囲
【補正対象項目名】全文
【補正方法】変更
【補正の内容】
【実用新案登録請求の範囲】
【請求項１】
厚紙（板紙）に丁度三つ折りの出来る位置に折り目を入れ、用紙と共に折ることで、きれいな折り目の付いた三つ折りを作ることが出来る三つ折りガイド板。
【請求項２】
用紙アテ（位置）に用紙が確認できるのぞき窓を付けた請求項1の三つ折りガイド板。
【手続補正２】
【補正対象書類名】明細書
【補正対象項目名】０００６
【補正方法】変更
【補正の内容】
【０００６】
【図１】「三つ折りガイド板」を示した平面図である。
【図２】「三つ折りガイド板」を示した平面図である。
【図３】使用例を示した説明図である。
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
厚紙台紙に丁度三つ折りの出来る位置に折り目を入れ、用紙と共に折ることで、きれいな折り目の付いた三つ折りを作ることが出来る三つ折りガイド板。
【請求項２】
厚紙台紙の折り目に用紙が確認できるのぞき窓を付けた請求項1の三つ折りガイド板。
(57)【要約】      （修正有）【課題】着火用頭薬を棒状線香の先端に付けることにより少々の風のある野外でも、又本数に拘わらず瞬時に着火させることが出来る線香を提供する。【解決手段】着火に至る時間の長さ、あるいは風の日の着火不能を解決する手段としては、棒状線香の先端に着火用頭薬を着けることによりマッチ一本で瞬時に着火させることが出来る。着火用頭薬の原料は塩素酸カリウム、硝子粉、珪藻土、雲母粉、松脂及びにわか等である。これらを混和して泥状の薬泥にする。この薬泥を棒状線香の先端に付着させ乾燥後、着火剤の原料である赤リンに硫化アンチモンを加え膠着剤で混和したものを塗布することで完成する。【選択図】図２
0003131539.tif 000002
【実用新案登録請求の範囲】
【請求項１】
棒状線香の先端に着火用頭薬を付けた棒状線香
【考案の詳細な説明】
【技術分野】
【０００１】本考案は、現在製造販売されている棒状線香の着火に関するものである。マッチ又はライターで棒状線香の先端に着火を試みた場合風のない状態で５本又は１０本を着火させようとした場合おおよそ１０秒前後かかる。着火に要する時間が気分的に長い。特に、野外に於ける墓参等の場合本数にもよるが、直接マッチ一本で着火させることは困難であり、風が少しでもあれば、着火はほとんど不可能である。しかし、着火用頭薬を棒状線香の先端に付けることにより少々の風のある野外でも又本数に拘わらず瞬時に着火させることが出来る。
【背景技術】
【０００２】棒状線香は、香料、接着剤、整形材及び着色剤を原料とし、これらを、調合→混合→練り→玉締め→押し出し・盆切り→生付け→乾燥・板寄せ→貯蔵→仕上げの順で製品化される。この棒状線香が作られる目的は、粉末線香のように短時間で燃え尽きるものではなく、線香の火を絶やさず長時間燃やし続けることを目的としている。このことから棒状線香をつくる技術開発に重きが置かれてきたが、着火に対する技術が欠けていた。
【考案の開示】
【考案が解決しようとする課題】
【０００３】室内及び少々の風がある野外でもマッチ一本で瞬時に着火を可能にすることにある。
【課題を解決するための手段】
【０００４】瞬時に着火を可能にする方法は、着火用頭薬を棒状線香の先端に付けその後、着火を誘因する着火剤を塗布することによって出来る。
【考案の効果】
【０００５】室内及び少々の風のある野外であっても又線香の本数に関係なく新聞紙等の燃焼物を媒介することなくマッチ一本で瞬時に着火させることが出来る。
【考案を実施するための最良の形態】
【０００６】棒状線香の先端に付ける着火用頭薬は、原料を塩素酸カリウム、硝子粉、珪藻土、雲母粉、松脂、にわか等を混和した泥状化の薬泥化を頭薬として付着し乾燥後、着火を誘因する着火剤である赤リンに硫化アンチモンを加え膠着剤で混和したものを塗布する。この原料と作り方は、マッチ棒をつくる方法と同じである。
【実施例】
【０００７】今日製造販売されている棒状線香をマッチ一本で着火を試みた場合おおよそ各メーカーとも、３本又は５本まとめて着火した場合１０秒前後かかる。これを、頭薬付棒状線香ではいずれも瞬時に着火させることが出来る。
【産業上の利用可能性】
【０００８】棒状線香にマッチ棒を作る製造技術を合体させることにより、新しい棒状線香が製品化される。これにより、これまでの棒状線香より商品価値が高まるとともに消費増が期待できる。
【図面の簡単な説明】
【図１】棒状線香の平面図
【図２】本案の棒状線香の先端に頭薬が付いた平面図
【符号の説明】
１．棒状線香の本体
２．棒状線香が丸状であることを示す
３．頭薬
【図１】
0003131539.tif 000003
【図２】
0003131539.tif 000004
(57)【要約】【課題】本考案は門松としてでなく、生花や花鉢、プランタン等、多目的に使用出来て、最高品位感溢れるやすらぎを提供することにある。【解決手段】横筒（２）にサポートベース（５）を設けて、これに門松サポート（３）あるいは、生花サポート（４）を取り付けて、中央筒（１）を門松サポート（３）に差し込んで固定する。最後に台座（６）に全体を乗せて装着する。【選択図】図１
0003131576.tif 000002
【実用新案登録請求の範囲】
【請求項１】
横筒（２）の内部にサポートベース（５）を設け、これに門松サポート（３）あるいは、生花サポート（４）をはめ込んで設ける、そして門松サポート（３）に中央筒（１）を固定して設け、最後に横筒（２）に台座（６）を装着してなる、門松兼用生花飾り。
【考案の詳細な説明】
【技術分野】
【０００１】  本考案は、門松や生花飾りに関するものである。
【背景技術】
【０００２】  従来、門松は日本の伝統的な職人技術であり、製造方法や形状等規格化されている。一方生花も、日本伝統に根差した文化であり、作り方や使用する用具に、同じ流れが存在する。
【考案の開示】
【考案が解決しようとする課題】
【０００３】  これは次のような問題点があった。
門松は正月に門飾りとして使われ正月が終わると廃棄物として処分される。正月期間だけの為に、門松が作られるのは伝統文化とは言っても全くもったいない事であり、不経済である。
本考案は、これらの問題点を除くためになされたものである。
【課題を解決するための手段】
【０００４】  本考案は、横筒（２）の中に、サポートベース（５）を設け、これに門松サポート（３）をはめ込んで設け、さらに中央筒（１）を差し込んで固定して設けるこれで、門松が出来る。あるいはサポートベース（５）に生花サポート（４）をはめ込んで設けると、生花になる。最後に台座（６）を装着する。【０００５】  また、横筒（２）の中に、サポートベース（５）を設け、このサポートベース（５）に直接、中央筒（１）を差し込んで固定して設け、台座（６）を装着する、このような簡単な方法が最良である。サポートベース（５）は花等を刺せる材料で出来ている。
【考案の効果】
【０００６】  門松としてのみ飾り着けるのでなく、生花やプランタンとして、また花の鉢として、多目的な室内外のセンスの良い飾りとして利用が出来るので、正月期間が終わっても、破棄する事なく、永年に渡って楽しめて、大きなムダが解消した。また、構造が簡単であるから大量生産が可能であり、多くの人々に安い価格で提供できる。
【考案を実施するための最良の形態】
【０００７】  本考案は、竹もしくは竹状の材料を使用するのがベストであり、まず太い竹あるいは樹脂等の材料で竹状にしたものを、輪切り加工した横筒（２）の内部にサポートベース（５）を装填して設ける。さらにサポートベース（５）の切り込み部分に門松サポート（３）を挿入して設ける。そしてこれに、組みの中央筒（１）を差し込んで固定して設ける。最後に台座（６）を横筒（２）の下に設けて、飾りを装着すれば門松が完成するまた台座（６）は設けなくても良い。一方サポートベース（５）に生花サポート（４）を挿入して設け、花飾りを装着すれば生花になる。これも台座（６）は設けても、設けなくてもよい。また、横筒（２）の中にサポートベース（５）を設けて、これに中央筒（１）を直接挿入して、固定して設ける方法がベストである。【０００８】  本考案は以上のような構造であり、これを使用せんとするときには、図１のごとく、横筒（２）にサポートベース（５）を収めて、これに門松用の門松サポート（３）をセットして、さらに中央筒（１）を差し込んで固定する。これに松飾り等を装着させて台座（６）の上に乗せれば門松が完成する。また、門松サポート（３）と中央筒（１）を取り外して、生花サポート（４）をサポートベース（５）に収めて、花飾りを装着すれば生花やプランタン、または花鉢等に変身完成する。さらに図５のような簡単な方法で門松兼生花になる。
【図面の簡単な説明】
【０００９】
【図１】      本考案の組立構成図である。
【図２】      本考案の斜視図である。
【図３】      本考案の門松の斜視図である。
【図４】      本考案の生花の斜視図である。
【図５】      本考案のベストモードの組立構成図である。
【符号の説明】
【００１０】          １  中央筒
２  横筒
３  門松サポート
４  生花サポート
５  サポートベース
６  台座
【図１】
0003131576.tif 000003
【図２】
0003131576.tif 000004
【図３】
0003131576.tif 000005
【図４】
0003131576.tif 000006
【図５】
0003131576.tif 000007
(57)【要約】      （修正有）【課題】根を引っかけて除草でき、力が必要ない除草器具を提供する。【解決手段】材質は２〜３ミリ厚の鋼鉄およびステンレス鋼鉄を使用。刃先１を鳶口状に形成し刃体部２を大きく湾曲する。刃部３には波目刃４を構成し研磨した後に熱処理をする。刃体部２に柄５を装着し、口金６と釘７で強固に固定する。これを使用するときは利き手で柄５を握り、レンガ、側溝の溝、コンクリートのすき間等に刃先１を刺し込み手前に引くように使用する。【選択図】図１
0003131572.tif 000002
【実用新案登録請求の範囲】
【請求項１】
刃先を鳶口状に形成し刃体を大きく湾曲させ、刃部を波目刃に構成し、柄を装着したことを特徴とする除草器具。
【考案の詳細な説明】
【技術分野】
【０００１】  本考案は刃先を鳶口状にし、刃を波目刃に構成した除草器具に関したものである。
【背景技術】
【０００２】  従来、クシ状の溝用除草器具はあった。
【考案の開示】
【考案が解決しようとする課題】
【０００３】  それには次のような問題点があった。
（イ）クシ状の刃のために草の根をなでるように作用するので、草の根を引っ掛けて根ごと除草できないという欠点があった。
（ロ）又、クシ状の刃を溝に刺し込み手前に引くように使用するが、刃の上に柄がついた構成なので、力が入らない、手、腕が大変疲れるという大きな欠点があった。
本考案はこれらの欠点を解決するためになされたものである。
【問題を解決する手段】
【０００４】  刃先を鳶口状に構成し大きく湾曲させ刃部を波目刃に構成し柄を装着したことを特徴とする除草器具である。
【考案の効果】
【０００５】  刃先が鳶口状に構成されているので確実に草の根を引っ掛けて根ごと引き抜くことができ、又刃部は波目刃のために切れ味が良く刃体部がうすいので、せまい溝、すき間等に生えている草も根ごとかき出して除草できる。又湾曲した刃体部に柄が装着しているので、手、腕、肩の疲労が極端に少ない。
【考案を実施するための最良の形態】
【０００６】  以下本考案の実施に形態を説明する。
（イ）材質は２〜３ミリ厚の鋼鉄およびステンレス鋼鉄を使用。刃先（１）を鳶口状に形成し刃体部（２）を大きく湾曲する。刃部（３）には波目刃（４）を構成し研磨した後に熱処理をする。
（ロ）刃体部（２）に柄（５）を装着し、口金（６）と釘（７）で強固に固定する。
本考案は以上のような構成であるから、これを使用するときは利き手で柄（５）を握り、レンガ、側溝の溝、コンクリートのすき間等に刃先（１）を刺し込み手前に引くように使用する。
【図面の簡単な説明】
【０００７】
【図１】本考案の平面図
【図２】本考案の側面図
【図３】従来のクシ状除草器具の平面図
【符号の説明】
【０００８】  １  刃先
２  刃体部
３  刃部
４  波目刃
５  柄
６  口金
７  釘
８  柄の穴
９  クシ状の刃
【図１】
0003131572.tif 000003
【図２】
0003131572.tif 000004
【図３】
0003131572.tif 000005
(57)【要約】【課題】日本の四季で秋から冬にかけての寒さが身にしみる。寒さから身を守る為、頭には帽子、首にはマフラーが欲しくなってくる。外出の際などに帽子とマフラーを別々に持っていくことになり、外出時や外出先で忘れることも多々ある。【解決手段】頭の寒さを守る帽子に首巻きになる部分を付けることによって個々に持って外出するよりも忘れることも少なくなる。【選択図】図２
0003131574.tif 000002
【実用新案登録請求の範囲】
【請求項１】
本体部分と折り返し部分を有する折り返し付き帽子において本体部分と折り返し部分を繋がり部分で結合した帽子。
【考案の詳細な説明】
【技術分野】
【０００１】本考案は折り返し付き帽子に関するものである。
【背景技術】
【０００２】折り返し付き帽子は頭及び、耳までの防寒は出来るが首まわりの防寒は出来ないため、別にマフラーを用いていた。
【考案の開示】
【考案が解決しようとする課題】
【０００３】従来の折り返し帽子は本体部分と折り返し部分が一体となっており首回りの防寒ができないため、帽子用途と首回りの防寒用途を同時に使用する時個々に所持する必要がある。
【課題を解決する為の手段】
【０００４】本考案は本体部分と折り返し部分を有する折り返し付き帽子において本体部分と折り返し部分の後ろ部分だけが結合した帽子である。
これによって帽子と首巻を一体化することが出来る。
【考案の効果】
【０００５】この考案によって帽子としての用途はもちろんのこと、帽子とマフラーとしての使用ができる。
【考案を実施する為の最良の形態】
【０００６】図面にもとづいて説明する。
図１は帽子としての着用の形態である。本体部分２に折り返し部分３がすべて折り返されて帽子としてのみの使い方を示している。図２は帽子と首巻きとしての使用形態である。繋がり部分は本体部分、折り返し部分と同素材によって連続して作られ、折り返し部分を裏返し首の位置まで下げることにより帽子と首巻きとして使用する。
【産業上の利用可能性】
【０００７】寒い場所に於ける作業時の防寒具に活用できる。
【図面の簡単な説明】
【０００８】
【図１】帽子として使用する時の側面図である。
【図２】帽子と、折り返し部分を首巻きとして使用する時の側面図である。
【符号の説明】
【０００９】１  帽子全体
２  本体部分
３  折り返し部分
４  繋がり部分
【図１】
0003131574.tif 000003
【図２】
0003131574.tif 000004
(57)【要約】      （修正有）【課題】チャンネルクリーナーカートリッジを水平に安定して、繰り返し使用可能なカートリッジホルダーを提供する。【解決手段】チャンネルクリーナーカートリッジのツバ部底辺を水平基準とし、外径をカートリッジホルダー内径に嵌合装着し、繰り返し脱着使用する。【選択図】図１
0003131518.tif 000002
【実用新案登録請求の範囲】
【請求項１】
チャンネルクリーナーカートリッジのツバ部底辺を基準にして、水平に外径とカートリッジホルダー内径とを嵌合装着し、繰り返し脱着使用可能な金属またはプラスチックからなるカートリッジホルダー。
【請求項２】
下部に複数個の支柱・上部に取っ手を具備した円型または角型ベースプレートに上記カートリッジホルダーを単数または複数個結合したカートリッジホルダーキット。
【考案の詳細な説明】
【技術分野】
【０００１】本考案は金属又はプラスチックからなるチャンネルクリーナーカートリッジホルダーに関する。
【背景技術】
【０００２】内視鏡を検査・治療等に用いた後、吸引・鉗子チャンネル内に付着した血液や粘液の汚れをあらかじめ洗浄しておくことがその後の洗浄を有効に行うためにも効果的である。
チャンネル内の予備洗浄には従来ブラシが使用されていた。ブラシに代り極細多孔質繊維構造体からなる吸引球状ブラシを３ケ収納したチャンネルクリーナーカートリッジが販売使用され始めた。
【考案の開示】
【考案が解決しようとする課題】
【０００３】しかしながら、プラスチックカップは不安定で使いづらく、カートリッジを水平に装着するのが困難であり、単回使用であるため、使用後は医療ゴミが発生する欠点があった。
【課題を解決するための手段】
【０００４】本考案は、専用プラスチックカップを使用せず、チャンネルクリーナーカートリッジのツバ部底辺を基準にして、水平にツバ部外径とカートリッジホルダー内径とを洗浄液の浮力に負けない程度に嵌合装着し、繰り返し脱着使用できるカートリッジホルダーを考案し、これにより上記課題を解決するものである。
【考案の効果】
【０００５】専用プラスチックカップは不安定で使いづらく、カートリッジを水平に装着するのが困難であり、単回使用であるため、使用後は医療ゴミが発生する欠点があったが、本考案を使用することにより、上記問題はすべて解消する。
複数カートリッジホルダーを具備したカートリッジホルダーキットの場合、連続してチャンネル洗浄作業が可能である。
【考案を実施するための最良の形態】
【０００６】（イ）  チャンネルクリーナーカートリッジを嵌合装着できる円形カートリッジホルダーは、金属またはプラスチックからなる。（図１）
（ロ）  ベースプレートは、防銹及び洗浄液中に自重沈下の必要があるためステンレス板とする。
（ハ）  ベースプレートにカートリッジホルダーを結合すべき穴を付加、また、下部四隅に支柱、上部中心に取っ手がカシメられている。（図２）
【実施例】
【０００７】（イ）  カートリッジホルダーにカートリッジを嵌合装着する。
（ロ）  カートリッジホルダーキットをポット内に入れる。
（ハ）  洗浄液を適量ポットに注ぐ。
（ニ）  内視鏡先端を球状ブラシが収納されているカートリッジ円錐部に押し当て、内視鏡の吸引ボタンを押し、３ケの球状ブラシを洗浄液と共に数秒間隔で吸引しチャンネル内を洗浄する。
【図面の簡単な説明】
【０００８】
【図１】  本考案に係るカートリッジホルダー断面図である。
【図２】  本考案に係るカートリッジホルダーキット図である。
【符号の説明】
【０００９】  １…  カートリッジホルダー
２…  チャンネルクリーナーカートリッジ
３…  球状ブラシ
４…  ベースプレート
５…  支柱
６…  取っ手
【図１】
0003131518.tif 000003
【図２】
0003131518.tif 000004
【手続補正書】
【提出日】平成19年1月25日(2007.1.25)
【手続補正１】
【補正対象書類名】実用新案登録請求の範囲
【補正対象項目名】請求項２
【補正方法】変更
【補正の内容】
【請求項２】
下部に複数個の支柱・上部に取っ手を具備した円型または角型ベースプレートに、チャンネルクリーナーカートリッジのツバ部を基準とし、チャンネルクリーナーカートリッジ外径とカートリッジホルダー内径を嵌合装着することを特徴とする請求項１に記載のカートリッジホルダーを単数または複数個結合したカートリッジホルダーキット。
(57)【要約】      （修正有）【課題】持ち運びに便利にすることにより化粧水をテッシュで肌につける化粧品であり、女性の不便を解消する化粧品である【解決の手段】持ち運びに便利にすることにより化粧水をテッシュで肌につける化粧品であり、女性の不便を解消する化粧品である【選択図】図１
0003131511.tif 000002
【実用新案登録請求の範囲】
【請求項１】
従来のウェットティッシュ型の化粧水＋アミノ酸＋コラーゲン＋ヒアルロン酸＋ビタミン類の化粧水をふくんだウェットティッシュ型の化粧水ふくんだティッシュであり、いちいちテッシュコットンに化粧水をふくませて肌につけることなく、ダイレクトにつけれる外出のとき便利。
【考案の詳細な説明】
【技術分野】
【０００１】この発明は、おもに化粧水ウェットティッシュに関するものである。
【考案の開示】
【考案が解決しようとしている課題】
【０００２】上記同じ
【考案が解決しようとする課題】
【０００３】上記同じ。
【考案の効果】
【０００４】上記同じ。
0003131511.tif 000003
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
従来のウェットテッシュ型の化粧水とアミノ酸とコラーゲンとヒアルロン酸とビタミン類の化粧水をふくんだウェットコットンであり、いちいち化粧水をつけることなく、肌につける外出に便利な化粧品
【手続補正２】
【補正対象書類名】明細書
【補正対象項目名】全文
【補正方法】変更
【補正の内容】
【考案の詳細な説明】
【技術分野】
【０００１】  化粧品に関するもの
【考案が解決しようとしている課題】
【０００２】  従来のウェットテッシュ型の化粧水とアミノ酸とコラーゲンとヒアルロン酸とビタミン類からなる化粧水をふくんだウェットコットンであり、いちいち化粧水をつけることなく、肌につける外出に便利な化粧品
【考案が解決しようとしている課題】
【０００３】  従来のウェットテッシュ型の化粧水とアミノ酸とコラーゲンとヒアルロン酸とビタミン類からなる化粧水をふくんだウェットコットンであり、いちいち化粧水をつけることなく、肌につける外出に便利な化粧品
【考案の効果】
【０００４】  従来のウェットテッシュ型の化粧水とアミノ酸とコラーゲンとヒアルロン酸とビタミン類からなる化粧水をふくんだウェットコットンであり、いちいち化粧水をつけることなく、肌につける外出に便利な化粧品
【図面の簡単な説明】
【０００５】
【図１】  （１）ウエットコットンテッシュ
【手続補正３】
【補正対象書類名】図面
【補正対象項目名】全図
【補正方法】変更
【補正の内容】
【図１】
0003131511.tif 000004
【手続補正書】
【提出日】平成18年12月4日(2006.12.4)
【手続補正１】
【補正対象書類名】明細書
【補正の内容】
0003131511.tif 000005
0003131511.tif 000006
0003131511.tif 000007
0003131511.tif 000008
0003131511.tif 000009
【手続補正書】
【提出日】平成19年2月19日(2007.2.19)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ウェットテッシュ型に化粧水とアミノ酸とコラーゲンとヒアルロン酸とビタミン類の化粧水をふくませるウェットコットンであり  いちいち化粧水をコットンにつけることなく  肌につける外出に便利な化粧品、形状はウェットテッシュ型ウェットコットンで  化粧水とアミノ酸とコラーゲンとヒアルロン酸とビタミン類が染み込ませてあるウェットテッシュ型化粧品。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】本考案は、ウェットテッシュ型に化粧水とアミノ酸とコラーゲンとヒアルロン酸とビタミン類の化粧水をふくませるウェットコットンであり  いちいち化粧水をコットンにつけることなく、肌につける外出に便利な化粧品に関するもの。
【背景技術】
【０００２】  化粧水にはコットンタイプのものがなく、重い瓶などを携帯していくのには不便、幼稚であり、不満が絶えなかった。
【考案の開示】
【考案が解決しようとしている課題】
【０００３】      化粧水は瓶が重く  持ち運びに不便であり  よって形状の改良が重ねられたが、女性の不満は大きく、よって今回はコットンにあらかじめ上記の化粧水類をたっぷりと染み込ませ、乾燥しないようにジッパー付きのアルミ袋に入れて、女性は肌が乾燥したらコットンを取り出して直接肌につけて染みこませれば解決し、使い捨てであるために備品にもよく、化粧水類であり、冬や夏などによく合う考案化粧類である
【課題を解決するための手段】
【０００４】本考案は、使い捨てであるために備品にもよく  化粧水類であり、冬や夏などによく合う考案化粧類である  持ち運びに楽であり、出張や、時間がないときに肌にコットンで化粧水をつけることにより課題を解決する化粧品
【考案の効果】
【０００５】本考案で化粧水コットン携帯を快適にする考案がある
【考案を実施するための最良の形態】
【０００６】      ウェットテッシュ型に化粧水とアミノ酸とコラーゲンとヒアルロン酸とビタミン類の化粧水をふくませるウェットコットンであり  いちいち化粧水をコットンにつけることなく  肌につける外出に便利な化粧品で、      化粧水は瓶が重く、持ち運びに不便であり  よって形状の改良が重ねられたが、女性の不満は大きく  よって今回はコットンにあらかじめ上記の化粧水類をたっぷりと染み込ませ、乾燥しないようにジッパー付きのアルミ袋に入れて、女性は肌が乾燥したらコットンを取り出して直接肌につけて染みこませればよく、また使い捨てでもあるために備品にもよい化粧品である。
【実施例】
【０００７】  化粧水などを染み込ませたウェットコットンテッシュ（１）をアルミ袋（２）と乾燥を防ぐためのジッパー（３）に入れ、肌が乾燥したときに（１）を取り出して肌に浸す。上記のように仕様することにより化粧水を快適にする化粧品である
【図面の簡単な説明】
【０００８】
【図１】化粧水のウェットティッシュコットン図である。
【符号の説明】
【０００９】１は、化粧水を含んだウェットコットン２は、アルミ製袋
【手続補正３】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003131511.tif 000010
(57)【要約】      （修正有）【課題】カムを利用したトルク方式や回転軸装置などの複雑な機構を使うことなく、簡単な構造で容器などの蓋の開閉がスムーズに作動する。【解決手段】左右非対称の一体型ねじりねじりバネ内臓の蝶番を備えたウイング開閉機構を利用して部品の点数の軽減と作業性の単純化により作業時間の大幅な短縮をはかる。この一体型非対称ねじりバネを内臓した蝶番を使用することにより蓋を閉める際に、一方のバネ例えば左側のバネが先に閉める力がかかり、次に他方のバネ例えば右側のバネが閉める力をかけることになって緩和された状態で閉まる。蓋を開ける際にフックが外れると、左右両方バネが同時にバネの反発力が作用して勢よく蓋が開くようになるが、途中で右側のバネの反発作用がなくなり、今度は逆に右側のバネがブレーキ作用が発生して左側のバネの反発力を和らげることになり、蓋が徐々に開く。【選択図】図３
0003131513.tif 000002
【実用新案登録請求の範囲】
【請求項１】
左右非対称の一体型ねじりバネ内臓の蝶番を備えたウイング開閉機構。
【請求項２】
実用新案請求第１項記載のウイング開閉機構を備えた家庭用品。
【考案の詳細な説明】
【技術分野】
【０００１】本考案は、左右非対称の一体型ねじりバネ内臓の蝶番を備えたウイング開閉機構に関する。
【背景技術】
【０００２】従来のバネ付き蝶番は、図１に示す様なものが一般的である。これらの蝶番では、例えば、家庭用品の炊飯器ヤジャーポットなどの蓋などに使われており、使用の際に急激な開閉作動により周りの環境状況を著しく損なう場合がある。その様予防対策として跳ね上げトルクを利用した左右のねじりバネの間に生じる摩擦力でフリーストップ機能を利用した回転軸装置などのブレーキ式のものもある。
また左右のねじりバネを使用しているものでも、すべて左右対称のバネであった。
【考案の開示】
【考案が解決しようとする課題】
【０００３】本考案は、急激な開閉作動を回避する手段として、従来のカムを利用したトルク方式や回転軸装置などの複雑な機構を使うことなく、簡単な構造で容器などの蓋の開閉がスムーズに作動することを目的とする。
【課題を解決するための手段】
【０００４】本考案は、急激な開閉作動を回避する手段として、簡単な構造で容易に製造可能な一体型非対称ねじりバネを内臓した蝶番を備えたウイング開閉装置を使用することにより、容器などの蓋の開閉がスムーズに作動する蝶番を提案するものである。一体型非対称ねじりバネは一方のバネを部品番号６とし、もう一方のバネを部品番号７とするとき、部品番号６のバネの巻き数と部品番号７のバネの巻き数が異なるとか、部品番号６のバネの先端部と部品番号７のバネの先端部の角度を変えることにより非対称性にすることができる。この様な一体型非対称ねじりバネ内臓の蝶番を備えた蓋では、蓋を閉める際に、部品番号６のバネが先に閉める力がかかり、次に部品番号７のバネが閉める力をかけることになって緩和された状態で閉まる。蓋を開ける際にフックが外れると、部品番号６と部品番号７のバネが同時にバネの反発力が作用して勢よく蓋が開くようになるが、途中で部品番号７のバネの反発作用がなくなり、今度は逆に部品番号７のバネがブレーキ作用が発生して部品番号６のバネの反発力を和らげることになり、蓋が徐々に開く。
【考案の効果】
【０００５】本考案にかかわる一体型非対称ねじりバネを内臓した蝶番を備えたウイング開閉装置により、▲１▼容器周辺環境の安定を保つ、▲２▼一体型にすることにより部品点数の削減が可能、▲３▼一体型にすることにより左右異なるねじりバネの組立ミスを解消する。▲４▼組立作業の単純化と作業時間の短縮をはかる、などの効果があげられる。
【実施例】
【０００６】一般日常用品、家庭用用品などの蓋の部分に一体型非対称ねじりバネを内臓した蝶番を取り付ける。図４に示す様に、一体型非対称ねじりバネを内蔵した蝶番は蝶軸を基軸として各部品を作業設置台にセットした後に蝶軸を通す方法で簡単な方法で短時間に作ることできる。この一体型非対称ねじりバネを内臓した蝶番を使用することにより蓋を閉める際に、部品番号６のバネが先に閉める力がかかり、次に部品番号７のバネが閉める力をかけることになって緩和された状態で閉まる。蓋を開ける際にフックが外れると、部品番号６と部品番号７のバネが同時にバネの反発力が作用して勢よく蓋が開くようになるが、途中で部品番号７のバネの反発作用がなくなり、今度は逆に部品番号７のバネがブレーキ作用が発生して部品番号６のバネの反発力を和らげることになり、蓋が徐々に開く。
【図面の簡単な説明】
【０００８】図１は従来のバネ付き蝶番の透視図
図２は一体型非対称ねじりバネの平面図、
図３は一体型非対称ねじりバネの側面図
図４は一体型非対称ねじりバネを内蔵した蝶番の平面図
図５は家庭用品の蓋の部分に採用された一体型非対称ねじりバネの写真
【符号の説明】
【０００９】１……蝶番、  ２……蝶軸、  ３……蝶板、  ４……ねじりバネ、
５……一体型非対称ねじりバネの中央部、
６……一体型非対称ねじりバネＡの先端部、
７……一体型非対称ねじりバネＢの先端部
【図１】
0003131513.tif 000003
【図２】
0003131513.tif 000004
【図３】
0003131513.tif 000005
【図４】
0003131513.tif 000006
【手続補正書】
【提出日】平成18年12月8日(2006.12.8)
【手続補正１】
【補正対象書類名】実用新案登録請求の範囲
【補正対象項目名】請求項１
【補正方法】変更
【補正の内容】
【請求項１】
左右非対称の一体型ねじりバネ内臓の蝶番
【手続補正２】
【補正対象書類名】明細書
【補正対象項目名】０００８
【補正方法】変更
【補正の内容】
【０００８】
【図１】従来のバネ付き蝶番の透視図
【図２ａ】一体型非対称ねじりバネの平面図、
【図２ｂ】一体型非対称ねじりバネの側面図
【図３】一体型非対称ねじりバネを内蔵した蝶番の平面図
【手続補正３】
【補正対象書類名】図面
【補正対象項目名】全図
【補正方法】変更
【補正の内容】
【図１】
0003131513.tif 000007
【図２ａ】
0003131513.tif 000008
【図２ｂ】
0003131513.tif 000009
【図３】
0003131513.tif 000010
【手続補正書】
【提出日】平成19年2月23日(2007.2.23)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正２
【補正方法】変更
【補正の内容】
【手続補正２】
【補正対象書類名】明細書
【補正対象項目名】０００８
【補正方法】変更
【補正の内容】
【０００８】
【図１】は従来のバネ付き蝶番の透視図
【図２】は一体型非対称ねじりバネの平面図
【図３】は一体型非対称ねじりバネの側面図
【図４】は一体型非対称ねじりバネを内蔵した蝶番の平面図
(57)【要約】      （修正有）【課題】従来よりも足に干渉しにくい便座用取っ手を提供する。【解決手段】便座Ａの外縁部に固定される薄板状に形成された把手１は、便座Ａの外縁部に沿って取り付け、当該把手の裏側が取付面２となり、便座Ａの厚みよりも下に指一本分に抑えて迫出た格好で構成されている。把手を固定する際、幾分湾曲させた曲面を便座の外周面に沿わせて当接させる。【選択図】図１
0003131501.tif 000002
【実用新案登録請求の範囲】
【請求項１】
便座の外縁部に便座の厚みよりも下に迫出た薄板状の把手を設けていることを特徴とする便座用取っ手。
【考案の詳細な説明】
【技術分野】
【０００１】
本考案は、便座用取っ手に係り、特に、洋式トイレの便座に後から取り付けることのできる便座用取っ手に関する。洋式トイレの便座は指をかけて上げ下げをするものであるが、一般には便座の裏側に直接指をかけて上げ下げを行うため不衛生であることが指摘されており、この不都合を解決するために、便座を上げ下げをするための取っ手を便座に取り付けることが提案されている。
【背景技術】
【０００２】
かかる便座用取っ手は市販されており、しゃもじのような平面的な形状をしている。しゃもじに喩えれば、しゃもじの柄の部分を便座の裏に両面テープで貼り付け、このとき、しゃもじの幅広の部分が便座の外側に出っ張るように取り付ける。しゃもじのような平面的な形状であるため、しゃもじの幅広の部分の表面積が大きいため、便座に座っている時など足に干渉してしまう場合もあった。
【考案の開示】
【考案が解決しようとする課題】
【０００３】
本考案は、かかる従来例の有する不都合を改善し、特に、従来よりも足に干渉しにくい便座用取っ手を提供することを、課題とする。
【課題を解決するための手段】
【０００４】
本考案の便座用取っ手は、便座の外縁部に便座の厚みよりも下に迫出た薄板状の把手を設けていることを特徴とする。
【０００５】
ここで、把手は、薄板状に形成し、当該薄板は、便座の外周の曲線形状に沿うように、幾分湾曲させてもよい。
【考案の効果】
【０００６】
本考案の便座用取っ手は、その把手が、便座外縁部に沿った形状のため、従来に比べて違和感なく装着することができる。
【考案を実施するための最良の形態】
【０００７】
以下、本考案の一実施形態を図１および図２に基づいて説明する。
【０００８】
本実施形態における便座Ａの外縁部に固定される便座用取っ手、把手１は、当該把手の裏面となる側が取付面２となり、把手１は便座の厚みよりも下に迫出た格好で構成されている。
【０００９】
また、本実施形態において、把手１は、薄板状に形成し、便座Ａの外周の曲線形状に沿うように、幾分湾曲させてある。
【００１０】
このように形成された便座用取っ手は、図１に示すように、便座Ａの外縁部に沿って取り付ける。
【００１１】
取付面２は、接着部３を便座Ａの外縁部に固定する。固定方法は、両面テープにより固定する。
【００１２】
把手１を固定する際、幾分湾曲させた曲面を便座Ａの外周曲面に沿わせて当接させる。
【００１３】
そして、便器の径方向において、把手１の突出をおよそ指一本分に抑えているので、例えば足に干渉しにくいし、スカートの裾などにもひっかかりにくい。
【００１４】
ここで、本考案は、上記の実施形態に限られるものではない。例えば、把手１は、クランク状に曲げた複数本の棒材を並べて構成してもよいし、柔軟性のある素材を用いて外周局面に沿わせてもよい。
【図面の簡単な説明】
【００１５】
【図１】本考案の一実施形態である便座用取っ手の斜視図である。
【図２】便座用取っ手の裏面図である。
【符号の説明】
【００１６】
１ 把手
２ 取付面
３ 接着部
Ａ 便座
【図１】
0003131501.tif 000003
【図２】
0003131501.tif 000004
(57)【要約】      （修正有）【課題】ノートパソコン対応プリンターでＡ４形封筒に印刷する業者に頼ることなく、オリジナリティーのある封筒の印刷、無駄な貼り合わせ部分のない、マイプリント型Ａ４対応封筒を提供する。【解決手段】封緘部と糊代部の台形の斜線の角度を４５度にして封緘部と糊代部をつなぐ斜線が台紙部のコーナーの頂点に接し一本の直線で現すことのできる封筒の横幅、長さを２１０ｍｍ〜２１６ｍｍ、３２４ｍｍ以内にサイズを絞り込んだ構造。【選択図】図１
0003131509.tif 000002
【実用新案登録請求の範囲】
【請求項１】
ノートパソコン対応プリンター用Ａ４形用紙サイズ対応マイ封筒
【請求項２】
封緘時、貼り合せ部の無駄な重なりを無くし、封をする時、受取った時スッキリ感を特徴とするマイ封筒
【請求項３】
封筒製造時、裁断用金型製作、裁断作業をシンプルにした請求項１、２を特徴とするマイ封筒
【考案の詳細な説明】
【技術分野】
【０００１】新製品開発技術
【背景技術】
【０００２】生産技術＋機械設計技術＋コマーシャルアート
【考案の開示】
【考案が解決しようとする課題】
【０００３】ノートパソコン対応プリンターでＡ４形用紙に印刷する
メーカー、業者に頼る事なく、オリジナリティーのある封筒の印刷
無駄な貼り合せ部のあるスッキリしない、定形、非定形封筒の改善
【課題を解決するための手段】
【０００４】無駄な貼り合せ部の排除
封筒台紙の形状、寸法の改善
裁断ツール、方法の変更
【図面の簡単な説明】
【０００５】封筒台紙の封緘代と糊代部を直線でカット
封筒の横幅の寸法を２１０ｍｍ以上〜２１６ｍｍ以内で収める
封筒の縦長さの寸法を３２４ｍｍ以内で収める
【図１】
0003131509.tif 000003
【図２】
0003131509.tif 000004
【手続補正書】
【提出日】平成18年5月22日(2006.5.22)
【手続補正１】
【補正対象書類名】実用新案登録請求の範囲
【補正対象項目名】全文
【補正方法】変更
【補正の内容】
【実用新案登録請求の範囲】
【請求項１】
ノートパソコン対応プリンター用Ａ４形用紙サイズ対応マイ封筒
【請求項２】
封緘時、貼り合せ部の無駄な重なりを無くし、封をする時、受取った時スッキリ感を特徴とするマイ封筒
【請求項３】
封筒製造時、裁断用金型製作、裁断作業をシンプルにした請求項１、２を特徴とするマイ封筒
【手続補正２】
【補正対象書類名】明細書
【補正対象項目名】０００５
【補正方法】変更
【補正の内容】
【０００５】
【図１】平面図  封筒台紙の封緘代と糊代部を直線でカット
【図２】正面図  封筒の横幅の寸法を２１０ｍｍ以上〜２１６ｍｍ以内に収める  封筒の縦長さの寸法を３２４ｍｍ以内で収める
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
封筒の展開状態で４５度の直線カットを多用する事によりシンプルな形状を有するマイプリント型Ａ４対応封筒
【請求項２】
封筒の横幅、長さを２１０ｍｍ〜２１６ｍｍ、３２４ｍｍ以内にサイズを絞り込んだ構造の請求項１の形状を特徴とするマイプリント型Ａ４対応封筒
【請求項３】
請求項１の形状、請求項２の構造を組み合わせたノートパソコン対応プリンターで使用出来るマイプリント型Ａ４対応封筒の考案
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
封筒の展開図の状態で封緘部と糊代部の台形の斜線の角度を４５度のにして封緘部と糊代部をつなぐ斜線が台紙部のコーナーの頂点に接し一本の直線で現すことのできる図面を使用し作成したマイプリント型Ａ４対応封筒
【請求項２】
封筒の横幅、長さを２１０ｍｍ〜２１６ｍｍ、３２４ｍｍ以内にサイズを絞り込んだ構造の請求項１の形状を特徴とするマイプリント型Ａ４対応封筒
【請求項３】
請求項１の形状、請求項２の構造を組み合わせたマイプリント型Ａ４対応封筒の考案
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
封筒の展開図の状態で封緘部と糊代部の台形の斜線の角度を４５度にして封緘部と糊代部をつなぐ斜線が台紙部のコーナーの頂点に接し一本の直線で現すことのできる図面を使用し作成したマイプリント型Ａ４対応封筒
【請求項２】
封筒の横幅、長さを２１０ｍｍ〜２１６ｍｍ、３２４ｍｍ以内にサイズを絞り込んだ構造の請求項１記載のマイプリント型Ａ４対応封筒
(57)【要約】【課題】  本考案は組み立て、分解作業が１人で手早く出来、運搬が容易になり，保管場所のスペースが少なくてすむ、金具使用の組み立て式屋台を提供する。【解決手段】  前後側板５・６と一対の左右側板３・４とを、これらの側縁部を連結部材で分解可能に連結して長方形の枠材を組み立て、その枠材の内側面にあらかじめ設けられた棚受け木の上に上、下板１・２を載置して販売台を作り、左右側板３・４の上に連結部材で分解可能に連結して左右上部側板７・８を立ち上げ、その上に分解可能に架構する屋根板９をのせた構成とし、前記前側板５には折りたたみ可能なカウンター５ａを設け、前後側板の下端部には車輪を取付け軽く移動できるようにし、分解後は段ボール箱に収納できるように物品を軽くしたことを特徴とする組み立て式屋台である。【選択図】図２
0003131530.tif 000002
【実用新案登録請求の範囲】
【請求項１】
長方形の上、下板１・２と左右一対の側板３・４と前後一対の側板５・６とを、これらの側縁部を連結部材で分解可能に連結して組み立てる枠材と左右の側板３・４の上に連結部材で分解可能に連結して立ち上げる左右一対の上部側板７・８と両側板７・８の上に分解可能に架構する屋根板９とで構成され、前記上、下板１・２は枠材の内側面にあらかじめ設けられ棚受け木の上に載置される構成とし、前記前側板５には折りたたみ可能なカウンター５ａを設け、前記枠材を構成する左右側板，または前後側板の下端部には車輪を取付けたことを特徴とする屋台。
【考案の詳細な説明】
【技術分野】
【０００１】  本考案は商店街、学校やホテル等のイベント会場で鉄板焼き、おでん，焼き鳥などを販売したり、スーパーマーケットやデパートのテイクアウトなどに利用する組み立て式屋台に関するものである。
【背景技術】
【０００２】  従来、商店街のイベント，ホテル内のパーティ会場、スーパーマーケット、デパートなどでは販売促進用として屋台が利用されているが完成型の屋台が多く、運搬や保管の場所などに難点があった。
【考案の開示】
【考案が解決しようとする課題】
【０００３】  分解できない完成型の屋台は組み立てる手間はないが、総重量が重いので運搬に多人数を必要とし、不便であり、保管場所に広いスペースを必要とする。従来の組み立て式屋台もあるが、キャスター付きの土台に側面板を組み込んだ販台に支柱を立て屋根板を設置したものであり、本体と柱の接合部に金具が使用されていないのでキャスターによる移動時に不安定であり、屋外でのイベント等での使用時の防雨対策もなされていないので本考案はこれらの問題点を解決するものである。【０００４】  本考案の物品は、折りたたみ可能なカウンター５ａ付きの前側板５と後側板６に左右一対の側板３・４を着脱自在の連結部材で分解可能に連結して組立て、長方形の枠材を内側面にあらかじめ設けられた棚受け木の上に載置して販売台を作り、左右の側板３・４の上に連結部材で分解可能に連結して左右上部側板７・８を立ち上げ、その上に分解可能に架構する屋根板９をのせた構成とし、前後側板の下端部には車輪を取付けたことを特徴とする屋台。
【考案の効果】
【０００５】  本考案は運搬や保管場所に困難をきわめた従来の分解できない完成型屋台の難点を解決するものであるが、組み立て式方法においても、従来のキャスター付土台と４本の柱を使った組み立て式屋台と違って、車輪を側板に取り付け、柱を使用せずに４枚の側板を組立て、それぞれの接合部分は着脱自在の連結部材の金具をはめ込む方法によって組みたてるように構成されているのでじょうぶであり、組み込まれた完成後の移動時には不安定感がなく、物品は軽くできており組み立て分解が楽である。
【考案を実施するための最良の形態】
【０００６】  本考案の組み立て式屋台は、図２のような９枚の部品を組立工具を使用せずに組み立てるのであるが、車輪付きの前後側板上板３・４と一対の左右側板５・６をそれぞれの側縁部にあらかじめ設けてある連結部材をはめ込む方法によって枠材を構成し、１と下板２を枠材の内側面にあらかじめ設けられた棚受け木の上に載置して販売台を組み立て、一対の左右側板３・４の上に既に設けられている連結部材によって左右上部側板７・８を分解可能に連結して立ち上げ次に左右上部側板７・８の上部かき込み部分に折り畳み屋根を広げて設置してあらかじめ設けられている金具によって固定する。【０００７】  本考案の組み立て式屋台は販売台を構成している前側板５に、折りたたみ可能なカウンター５ａを設けているが図５のように左右側板３・４にもカウンターを設けて接客スペースを広げることができる。
【図面の簡単な説明】
【図１】  本考案の組み立て式屋台の斜視図
【図２】  組み立て前の物品の図
【図３】  連結部材図
【図４】  側板上下連結部材図
【図５】  接客スペースの増設図
【符号の説明】
１  上板
２  下板
３  右側板
４  左側板
５  前側板
６  後側板
７  右上部側板
８  左上部側板
９  屋根板
【図１】
0003131530.tif 000003
【図２】
0003131530.tif 000004
【図３】
0003131530.tif 000005
【図４】
0003131530.tif 000006
【図５】
0003131530.tif 000007
(57)【要約】      （修正有）【課題】五徳上に鍋を設置した場合、鍋底径より少し大きな場所に突起部を作ってあるので、置くだけでガスの中心と鍋底の中心が合致できるようにする。【解決手段】上記にかんがみ、五徳上に突起部を作ることにより、鍋が定位置に設置できるように、五徳上に鍋底径に合わしたいくつかの突起部を作り、その突起部内に、鍋がすっぽりと入るようにした。【選択図】図１
0003131524.tif 000002
【実用新案登録請求の範囲】
【請求項１】
五徳上に鍋底径に合わした突起部のあることを特徴とした五徳
【考案の詳細な説明】
【技術分野】
【０００１】  本考案は、卓上ガスコンロ台上の五徳に鍋等を置くだけで、火力の中心が鍋底中心に合致する五徳に関するものである。
【背景技術】
【０００２】  五徳に鍋を設置した時、五徳の中心と鍋底の中心が合致するのに素早く簡単にできずに、鍋が五徳上に片のり状態で傾いたまま設置されたりして、大変危険な場合がある。
【考案の開示】
【考案が解決しようとする課題】
【０００３】  解決しようとする問題点は、五徳上に鍋を設置した時、五徳の中心と鍋の中心がすぐに合致しない。
【課題を解決するための手段】
【０００４】  本考案は、五徳上に設置した時にすぐ簡単に五徳の中心と鍋の中心が合致するために、五徳上に突起部を作り、突起部内に鍋がおさまり鍋底中心と火力の中心が合致する。
【考案の効果】
【０００５】  本考案の五徳上に鍋を設置した場合、鍋底径より少し大きな場所に突起部を作ってあるので、置くだけでガスの中心と鍋底の中心が合致できる。
【考案を実施するための最良の形態】
【０００６】  本考案の五徳上に鍋底径より少し大きな円径部に鍋固定用の突起部を造り、五徳上に鍋を設置するだけで鍋は突起部内に入り、突起部により固定され鍋中心、五徳中心、ガス火力の中心に合致する。
【実施例】
【０００７】  五徳上に図１のＡ部のような突起部をつくる。【０００８】  大きな鍋底を設置する場合、図１のＢ部のようにＡ部より少し高い突起部とする。
【産業上の利用可能性】
【０００９】  五徳上に鍋底径より少し大きな鍋固定用の突起部を作ってあるので、鍋を置くだけで鍋が固定されるので安全、確実に火力の中心が得られるので経済的である。
【図面の簡単な説明】
【００１０】
【図１】側面図
【図２】上から見た図
【符号の説明】
【００１１】  Ａ、小さな鍋底径用の突起部
Ｂ、大きな鍋底径用の突起部
Ｃ、卓上ガスコンロ台
【図１】
0003131524.tif 000003
【図２】
0003131524.tif 000004
(57)【要約】【課題】プリザーブドフラワー等の造花類を一輪贈答する際の高級感と流通性のある優れた化粧箱が見当たらない。【解決手段】箱自体に魅力的な素材を有する物とし、花と共にインテリアとして部屋に飾れる化粧箱とした。底敷きに花をフィットさせる事によりプリザーブドフラワー等の繊細な花でも大量流通が可能である。【選択図】図１
0003131522.tif 000002
【実用新案登録請求の範囲】
【請求項１】
開閉式の箱で内部に造花類を飾り入れる。
内部には花を箱にフィットさせる為に考慮された布張りの高さを持たせた穴開き底敷きを敷いた花専用化粧箱である。
【請求項２】
蓋の部分にアクリル板を貼り入れ、外部から箱内の花が見られる構造になっている化粧箱である。
【考案の詳細な説明】
【技術分野】
【０００１】本考案はプリザーブドフラワーや造花の価値を更に向上させるために作られた高級感ある化粧箱である。
【背景技術】
【０００２】一輪花を贈答する際の高級感ある化粧箱が存在しなかった。
大量に流通する場合の破損を防ぐ為に考慮された優れた化粧箱がなかった。
【考案の開示】
【考案が解決しようとする課題】
【０００３】化粧箱自体に魅力的な素材を有する物とし、花と共にインテリアとして部屋に飾れる化粧箱とする。
【課題を解決するための手段】
【０００４】箱の中に穴を開け、高さを持たせた中敷をしく事で、箱に花を入れ込んだ際の安定性と美術性を加味させ花の魅力を引き出す様に考案した。
【考案の効果】
【０００５】従来の花様化粧箱には見られなかった高級なイメージで花そのものの価値の向上を奏する。
箱を開けなくてもアクリル製の窓から綺麗な花を見る事ができる。
底敷きに花をフィットさせる事で動きにくくプリザーブドフラワーのような繊細な花でも大量流通が可能である。
【考案を実施するための最良の形態】
【０００６】プリザーブドフラワー等の造花類を高さを持たせた穴開き底敷にフィットさせ飾り入れる。
【実施例】
【０００７】一輪花様化粧箱にプリザーブドフラワー等の造花類を入れ結婚式の引き出物や、小売店におけるお土産品、企業における販売促進商品として使用する。
【図面の簡単な説明】
【０００８】
【図１】蓋を開けた時の斜視図である。
【図２】蓋を閉めた時の斜視図である。
【図３】布張り穴あき底敷部裏面図である。
【符号の説明】
【０００９】１  蓋部
２  アクリル窓部
３  リボンストッパー
４  布張り穴あき底敷き
５  底部
【図１】
0003131522.tif 000003
【図２】
0003131522.tif 000004
【図３】
0003131522.tif 000005
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
開閉式の箱で内部に造花類を飾り入れる事ができ、内部には花が箱にフィットするのに充分な高さを持たせた布張りの穴開き底敷きを敷いた一輪花用化粧箱である。
【請求項２】
請求項１記載の化粧箱の蓋部分にアクリル板を貼り入れ、外部から箱内の花を見る事ができる一輪花用化粧箱である。